(57)【特許請求の範囲】
【請求項１】
複数の音響信号入力手段から供給される音響信号の特性を制御する複数の入力チャンネルと、
前記入力チャンネルから供給される音響信号を混合する複数の混合バスと、
前記各混合バスと対応する複数の出力チャンネルと、
前記複数の出力チャンネルのうちの１又は複数の出力チャンネルの信号をモニタ信号として選択する選択手段と、
該手段が選択したモニタ信号を出力するモニタ出力手段と、
操作パネルとを有するデジタルミキサであって、
前記各出力チャンネルと対応する複数の第１の操作子と、前記複数の出力チャンネルのうちの１又は複数の出力チャンネルが対応付けられた第２の操作子とを前記操作パネル上に有し、
前記第２の操作子の操作に応じて、該第２の操作子に対応付けられている出力チャンネルを前記選択手段にて前記モニタ信号として選択される信号の出力チャンネルとするモニタ設定手段と、
前記第２の操作子が操作されている間に前記第１の操作子が操作された場合に、その操作された第１の操作子と対応する出力チャンネルの前記第２の操作子への対応付け又は解除をトグルで行う割当制御手段とを設けたことを特徴とするデジタルミキサ。
【発明の詳細な説明】
【技術分野】
【０００１】
この発明は、複数の音響信号入力手段から供給される音響信号を処理して複数の出力チャンネルから出力するデジタルミキサに関する。
【背景技術】
【０００２】
従来から、複数の信号入力部から入力する音響信号に対し、入力チャンネル（ｃｈ）で振幅特性や周波数特性の調整を行うと共に、混合バスによる混合等の信号処理を施して出力ｃｈから出力するデジタルミキサが知られている。
また、このようなデジタルミキサにおいて、一部の信号入力部からの入力信号や特定の出力ｃｈからの出力信号の他、ユーザが設定した出力ｃｈセットからの出力信号を、選択的にモニタ出力部に出力し、これらの信号をモニタできるようにすることが行われている。そして、上記の出力ｃｈセットの設定は、専用の画面で、各出力ｃｈと対応して設けられたオンオフボタンを用いて行うようにしていた。
このようなデジタルミキサについては、例えば特許文献１に記載されている。
【非特許文献１】「ＰＭ５Ｄ／ＰＭ５Ｄ−ＲＨ  取扱説明書」，ヤマハ株式会社，２００４年，ｐ．９０−９５，１３４−１３５，１８５−１８７，２０７−２１２
【発明の開示】
【発明が解決しようとする課題】
【０００３】
しかしながら、上述したような従来のデジタルミキサにおいては、ユーザが設定した出力ｃｈセットからの出力信号をモニタしようとする場合、一旦専用の画面を開き、その画面で各出力ｃｈのオン／オフ（セットに含めるか否か）の設定を行った後、モニタの対象を選択するためのスイッチによりモニタの対象として出力ｃｈセットを選択するという、面倒な操作が必要であった。さらに、デジタルミキサに表示させる画面には種々のものがあるため、その中から上記の専用の画面を選択して表示させるだけでも何回かの操作が必要であった。
従って、出力ｃｈセットの設定やモニタを行う際の操作性が悪いという問題があった。
この発明は、このような問題を解決し、デジタルミキサにおいて、ユーザが指定した１又は複数の出力ｃｈの信号のモニタを行う際の操作性を向上させることを目的とする。
【課題を解決するための手段】
【０００４】
上記の目的を達成するため、この発明のデジタルミキサは、複数の音響信号入力手段から供給される音響信号の特性を制御する複数の入力チャンネルと、上記入力チャンネルから供給される音響信号を混合する複数の混合バスと、上記各混合バスと対応する複数の出力チャンネルと、上記複数の出力チャンネルのうちの１又は複数の出力チャンネルの信号をモニタ信号として選択する選択手段と、その手段が選択したモニタ信号を出力するモニタ出力手段と、操作パネルとを有するデジタルミキサにおいて、上記各出力チャンネルと対応する複数の第１の操作子と、上記複数の出力チャンネルのうちの１又は複数の出力チャンネルが対応付けられた第２の操作子とを上記操作パネル上に設け、上記第２の操作子の操作に応じて、この第２の操作子に対応付けられている出力チャンネルを上記選択手段にて上記モニタ信号として選択される信号の出力チャンネルとするモニタ設定手段と、上記第２の操作子が操作されている間に上記第１の操作子が操作された場合に、その操作された第１の操作子と対応する出力チャンネルの上記第２の操作子への対応付け又は解除をトグルで行う割当制御手段とを設けたものである。
【発明の効果】
【０００５】
以上のようなこの発明のデジタルミキサによれば、ユーザが指定した１又は複数の出力ｃｈの信号のモニタを行う際の操作性を向上させることができる。
【発明を実施するための最良の形態】
【０００６】
以下、この発明を実施するための最良の形態を図面に基づいて具体的に説明する。
まず、この発明の実施形態であるデジタルミキサの構成について説明する。
図１はそのデジタルミキサの構成を示すブロック図である。
図１に示すように、このデジタルミキサ１０は、ＣＰＵ１１，フラッシュメモリ１２，ＲＡＭ１３，表示器１４，操作子１５，外部機器入出力部（Ｉ／Ｏ）１６，波形Ｉ／Ｏ１７，信号処理部（ＤＳＰ）１８を備え、これらがシステムバス１９によって接続されている。そして、複数の入力チャンネル（ｃｈ）から入力する音響信号に対して種々の信号処理を施して複数の出力ｃｈから出力する機能を有する。
【０００７】
そして、ＣＰＵ１１は、このデジタルミキサ１０の動作を統括制御する制御手段であり、フラッシュメモリ１２に記憶された所要の制御プログラムを実行することにより、外部機器Ｉ／Ｏ１６及び波形Ｉ／Ｏ１７における通信や表示器１４における表示を制御したり、操作子１５の操作を検出してその操作に従ってパラメータの値の設定／変更や各部の動作を制御したりといった処理を行う。
フラッシュメモリ１２は、ＣＰＵ１１が実行する制御プログラム等を記憶する書き換え可能な不揮発性記憶手段である。
ＲＡＭ１３は、一時的に記憶すべきデータを記憶したり、ＣＰＵ１１のワークメモリとして使用したりする記憶手段である。
【０００８】
表示器１４は、ＣＰＵ１１による制御に従ってＧＵＩ（グラフィカル・ユーザ・インタフェース）やパラメータの値等の種々の情報を表示する表示手段であり、例えば、液晶ディスプレイ（ＬＣＤ）や発光ダイオード（ＬＥＤ）等によって構成することができる。操作子の裏側にＬＥＤを配置したり、ＬＣＤにタッチパネルを積層したりして、表示器１４と操作子１５を兼ねるような構成とすることも可能である。
【０００９】
操作子１５は、デジタルミキサ１０に対する操作を受け付けるためのものであり、種々のキー、ボタン、ダイヤル、スライダ等によって構成することができる。また、表示器１４を構成するＬＣＤにタッチパネルを積層して構成してもよいし、操作子に駆動手段を設け、ＣＰＵ１１からの制御により任意の位置に移動できるようにしてもよい。
【００１０】
外部機器Ｉ／Ｏ１６は、種々の外部機器を接続し入出力を行うためのインタフェースであり、例えば外部のディスプレイ、マウス、文字入力用のキーボード、操作パネル等を接続するためのインタフェースが用意される。そして、本体の表示器や操作子をごく単純な構成にしたとしても、これらの外部機器を活用することによりパラメータの変更／設定や動作指示を行うことができるようにすることも考えられる。
さらに、パーソナルコンピュータ（ＰＣ）等の制御装置と通信を行うためのインタフェースとして、ＵＳＢ（Universal Serial Bus）方式のインタフェースや、イーサネット（登録商標）による通信を行うためのインタフェース等を設けてもよい。
【００１１】
波形Ｉ／Ｏ１７は、ＤＳＰ１８で処理すべき音響信号の入力を受け付け、また処理後の音響信号を出力するためのインタフェースである。そして、この波形Ｉ／Ｏ１７には、１枚で４チャンネル（ｃｈ）のアナログ入力が可能なＡ／Ｄ変換ボード，１枚で４ｃｈのアナログ出力が可能なＤ／Ａ変換ボード，１枚で８ｃｈのデジタル入出力が可能なデジタル入出力ボードを適宜組み合わせて複数枚装着可能であり、実際にはこれらのボードを介して信号の入出力を行う。また、波形Ｉ／Ｏ１７には、デジタルミキサ１０に入力する信号あるいはデジタルミキサから出力する信号をユーザがモニタできるように、これらの信号をモニタ信号として出力するためのモニタ出力用端子も設けている。
【００１２】
ＤＳＰ１８は、信号処理回路を含み、波形Ｉ／Ｏ１７から入力する音響信号に対し、カレントメモリに記憶されている動作データに含まれる各種パラメータの値に従って、ミキシング、イコライジング等の各種信号処理を施して波形Ｉ／Ｏ１７に出力する信号処理手段である。カレントメモリの記憶領域は、ＲＡＭ１３あるいはＤＳＰ１８自身に備えるメモリに用意することが考えられる。
【００１３】
次に、図２に、図１に示したＤＳＰ１８の構成をより詳細に示す。
この図に示すように、ＤＳＰ１８は、入力パッチ４１，入力ｃｈ４２，ＳＴバス４３，ＭＩＸ（混合）バス４４，ＣＵＥ（キュー）バス４５，ＳＴ出力ｃｈ４６，ＭＩＸ出力ｃｈ４７，出力パッチ４８，モニタ用セレクタ５１，モニタ用ミキサ５２，ＣＵＥ制御部５３を有する。
そして、ＤＳＰ１８においては、２４ｃｈある入力ｃｈ４２に、それぞれ、波形Ｉ／Ｏ１７に設けたアナログ入力ポート３１及びデジタル入力ポート３２のいずれかをパッチ（結線）し、各入力ｃｈでは、パッチされたポートから入力する信号に対してアッテネータ，イコライザ，コンプレッサ等の信号処理を行った後、ＳＴバス４３及び１２系統のＭＩＸバス４４それぞれに対して、処理後の信号をさらにレベル制御して送出する。
【００１４】
また、ＳＴバス４３及び各ＭＩＸバス４４では、各入力ｃｈ４２から入力する信号を混合し、ＳＴバス４３において混合された信号はＳＴ出力ｃｈ４６に、ＭＩＸバス４４において混合された信号はその各系統に対応して設けられる１２ｃｈのＭＩＸ出力ｃｈ４７に出力する。そして、各出力ｃｈ４６，４７では、対応するバスから入力する信号に対してイコライザ、コンプレッサ等により信号処理を行い、更にレベル制御して、その処理後の信号を、出力パッチ４８により波形Ｉ／Ｏ１７に設けたアナログ出力ポート３３及びデジタル出力ポート３４にパッチし、パッチ先の出力ポートから出力する。
また、ＣＵＥバス４５では、入力ｃｈ４２のうちユーザが選択した任意のｃｈから入力する信号を混合し、ＣＵＥ制御部５３に出力する。
【００１５】
一方、モニタ用セレクタ５１には、モニタの対象となり得る一部の入力ポート（ここでは２トラックイン端子と対応する入力ポート）、ＳＴ出力ｃｈ４６及びＭＩＸ出力ｃｈ４７からの信号が入力する。そして、モニタ用セレクタ５１は、この中からユーザが行った設定に従った信号を選択してモニタ用ミキサ５２に出力し、モニタ用ミキサ５２がこれらの信号を混合してＣＵＥ制御部５３に出力する。これらのモニタ用セレクタ５１とモニタ用ミキサ５２とがモニタ出力手段である。
【００１６】
そして、ＣＵＥ制御部５３は、ＣＵＥバス４５からの信号とモニタ用ミキサ５２からの信号とを混合して、モニタ出力ポート３５を介して後述するパネル上のヘッドホン端子から出力する。ただしここでは、ＣＵＥがオンに設定されている場合、モニタ用ミキサ５２からの信号のゲインを絞ると共にＣＵＥバス４５からの信号のゲインを上げ、ＣＵＥがオフに設定されている場合、ＣＵＥバスからの信号のゲインを−∞にすると共に、モニタ用ミキサ５２からの信号のゲインを上げるようにしている。
なお、ＤＳＰ１８に設けるこれらの各部による信号処理の内容は、カレントメモリ中の動作データに含まれる所定のパラメータの値を設定することにより制御可能であり、また、各部の機能は、ソフトウェアによって実現してもハードウェアによって実現してもよい。
【００１７】
次に、図３に、デジタルミキサ１０における操作パネルの概略構成を示す。
デジタルミキサ１０は、図３に示すような構成の操作パネル１００を有しており、この操作パネル１００上に、図１に示した表示器１４や操作子１５に相当する、表示パネル１０１，ユーザ定義キー１０２，レイヤ選択キー１０３，カーソルキー１０４，増減キー１０５，ロータリーエンコーダ１０６，エンタキー１０７，モニタ音量つまみ１１１，ｃｈストリップ１２０，ＳＴ出力ｃｈストリップ１３０等を設けている。また、ヘッドホン端子１１２も設けている。
【００１８】
これらのうち、表示パネル１０１は、ＧＵＩ等の画面を表示するためのＬＣＤによる表示器であり、様々なパラメータを設定するための複数のパラメータ設定画面を含む複数の画面の中からユーザにより選択された画面が表示される。
ユーザ定義キー１０２は、予め用意された選択肢から選んだ機能を割り当てることにより、その選んだ機能のキーとして使用することができるキーであり、ここでは３×４の１２のキーを設けている。また、選択肢としては、例えば表示パネル１０１に表示させるＧＵＩ上のボタンと対応するものを用意することが考えられるが、ＧＵＩ上には用意されていない機能に係るものでもよい。
【００１９】
レイヤ選択キー１０３は、各ｃｈストリップ１２０と対応するｃｈを定めるレイヤを選択するためのキーである。そして、「出力１」キーが押下された場合には、１２のＭＩＸ出力ｃｈ４７を、「入力１」キーが押下された場合には、１〜１２番目の入力ｃｈ４２を、「入力２」キーが押下された場合には、１３〜２４番目の入力ｃｈ４２をそれぞれｃｈストリップ１２０に対応させ、ｃｈストリップ１２０に含まれる操作子を、これらのｃｈのパラメータを制御するための操作子として使用できるようにする。
【００２０】
カーソルキー１０４は、表示パネル１０１に表示させるＧＵＩ上でカーソルやポインタの上下左右への移動を指示するためのキーである。
増減キー１０５及びロータリーエンコーダ１０６は、表示パネル１０１に表示させるＧＵＩ上でパラメータの値の増減等を指示するための操作子である。
エンタキー１０７は、ＧＵＩ上での項目の選択や、入力した値の確定等を指示するためのキーである。
【００２１】
モニタ音量つまみ１１１は、上述したモニタ信号の出力音量を調整するためのつまみである。
ヘッドホン端子１１２は、モニタ信号の出力端子であり、ここにヘッドホン等の発音手段を接続することにより、出力されるモニタ信号を音として聞き、内容を確認することができる。
【００２２】
ｃｈストリップ１２０は、対応するｃｈにおける信号処理のパラメータの値を操作するための一群の操作子であり、操作パネル１００上には１２のｃｈストリップ１２０を設けている。各ｃｈストリップ１２０がどのｃｈと対応するかは、上述のようにレイヤ選択キー１０３により選択されたレイヤにより定められる。
【００２３】
そして、各ｃｈストリップ１２０は、ロータリーエンコーダ１２１，ＳＥＬキー１２２，ＯＮキー１２３，フェーダ１２４，ＣＵＥキー１２５を備えている。
このうち、ロータリーエンコーダ１２１は、対応するｃｈの任意のパラメータを割り当て、対応するｃｈにおけるそのパラメータの値を設定するための操作子として使用できる操作子である。
ＳＥＬキー１２２は、対応するｃｈを選択ｃｈとして選択し、表示パネル１０１にパラメータ設定画面が表示されている場合は、その画面における設定対象をその選択したｃｈ（或いはそのｃｈを含む複数ｃｈ）のパラメータに変更するためのキーである。またここでは、後述するようにモニタグループの設定にも使用できるようにしている。
【００２４】
ＯＮキー１２３は、対応するｃｈのオン／オフを操作するためのキーである。
フェーダ１２４は、対応するｃｈの音量を操作するための操作子である。
ＣＵＥキー１２５は、対応するｃｈからＣＵＥバス４５への出力のオン／オフを操作するためのキーである。ここで、何れかのｃｈのＣＵＥキー１２５がオンのとき、ＣＵＥ制御部５３では、上述した「ＣＵＥがオンに設定されている場合」の制御が行われる。
なお、操作パネル１００上には、ＳＴ出力ｃｈストリップ１３０も設けているが、これは、レイヤによらずＳＴ出力ｃｈ４６と対応するｃｈストリップであり、操作子の構成はｃｈストリップ１２０と同様である。
【００２５】
以上のようなデジタルミキサ１０において、特徴的な点は、モニタ信号として出力する信号の選択を受け付けるための機能である。そこで、次にこの点について説明する。
デジタルミキサ１０においては、モニタ信号として出力する信号を、表示パネル１０１に表示させるＧＵＩと操作パネル１００上に設けた操作子の双方で選択できるようにしている。
【００２６】
これらのうち、まず図４に、表示パネル１０１に表示させるＧＵＩであるモニタ設定画面の例を示す。
この図に示すように、モニタ設定画面２００は、セクション選択部２１０とｃｈ割り当て部２２０を有する。
そして、セクション選択部２１０に設けたボタンにより、モニタ信号として出力する信号を選択できるようにしている。すなわち、ここでは２トラックイン、ＳＴ出力ｃｈ４６及びＭＩＸ出力ｃｈ４７の信号をモニタできるようにしているが、セクション選択ボタン２１１により、このうち２トラックイン及びＳＴ出力ｃｈ４６を選択できるようにしている。
【００２７】
また、詳細設定ボタン２１２により、ｃｈ割り当て部２２０の操作により設定したモニタグループを構成するｃｈを選択できるようにしている。この選択を行う場合、ＣＰＵ１１が選択手段として機能する。
なお、セクション選択ボタン２１１及び詳細設定ボタン２１２による選択は、ここでは排他的なものとしており、１つを選択した場合、他の選択は解除される。
【００２８】
また、ｃｈ割り当て部２２０には、各ＭＩＸ出力ｃｈ４７と対応する１２のＭＩＸ出力ｃｈ指定ボタン２２１を設け、これらにより、各ＭＩＸ出力ｃｈ４７について、モニタグループへの追加／削除をトグルで行い、モニタグループの内容を設定できるようにしている。この設定を行う場合、ＣＰＵ１１が設定手段として機能する。なお、モニタグループに登録できるＭＩＸ出力ｃｈ数には限りがあり、例えば最大６つまで登録できる。
【００２９】
以上のようなモニタ設定画面２００において受け付けた操作は、直ちにデジタルミキサ１０のＲＡＭ１３に記憶しているパラメータの値に反映させ、その内容に従ったモニタ信号をモニタ用セレクタ５１からモニタ用ミキサ５２に出力させることができる。
ただし、表示パネル１０１に表示させるべき画面には種々のものがあるため、モニタ設定画面２００は、深い階層に配置せざるを得ず、この画面の呼び出しには何回かの操作が必要となる。従って、頻繁にモニタを行う場合、特にモニタグループの設定を変更する場合に、いちいちモニタ設定画面２００を呼び出すのは、面倒である。
【００３０】
一方、操作パネル上１００に設けた操作子によりモニタ信号として出力する信号を選択する場合、ユーザ定義キー１０２にこの機能を割り当てて行うことができる。そしてこの場合、より具体的には、ユーザ定義キー１０２のうち任意のキーを、そのキーと対応させて記憶してある１又は複数のＭＩＸ出力ｃｈ４７のセットをモニタグループとして設定する指示と、モニタ信号としてそのモニタグループを構成するｃｈの信号を選択する指示（上述した詳細設定ボタン２１２の押下による指示と同様な指示）とを受け付ける機能を割り当て、「割り当てキー」として機能させる。この割り当てキーが、第２の操作子である。
【００３１】
また、その割り当てキーを押下操作しながらｃｈストリップ１２０のＳＥＬキー１２２を押下操作することにより、そのｃｈストリップ１２０と対応するＭＩＸ出力ｃｈ４７について、割り当てキーへの割り当て／解除及び、モニタグループへの追加／削除を、トグルで指定できるようにしている。さらに、割り当てキーが押下されている状態では、各ＳＥＬキー１２２のランプ１２２ａのオン／オフにより、そのＳＥＬキー１２２が属するｃｈストリップ１２０と対応するＭＩＸ出力ｃｈ４７がモニタグループに登録されているか否かを表示するようにしている。このＳＥＬキー１２２が、第１の操作子である。
【００３２】
また、ＳＥＬキー１２２の操作により変更した割り当ての内容は、押下された割り当てキーと対応させて記憶しておき、次に同じ割り当てキーが押下された際に行うモニタグループの設定に使用するようにしている。この記憶は、例えば割り当てキーと対応する割り当てリストを用意しておき、割り当てられているＭＩＸ出力ｃｈ４７の番号をそのリストに登録することにより行うことができる。
【００３３】
図５にそのリストの例を示す。
どの信号をモニタするかは、その場その場で一時的に必要とされる設定であり、これを記憶しても汎用性がないため、シーンメモリ等にシーンの一部として記憶したり、専用のライブラリを用意して記憶したりするには適さない設定であるため、このようにしたものである。
なお、複数のユーザ定義キーを割り当てキーとして機能させ、それぞれに対応する割り当てリストを用意し、出力ｃｈの別々の組み合わせを対応させて登録することも可能である。また、リストには、最大で、モニタグループに登録できる最大数と同じ数のＭＩＸ出力ｃｈが登録できるようになっていればよい。
【００３４】
ここで、以上のような割り当てキーの機能を実現するための処理について、図６乃至図８のフローチャートを用いて説明する。
まず、図６に、割り当てキー（の機能が割り当てられたユーザ定義キー１０２）のオンイベントを検出した場合の処理のフローチャートを示す。
ＣＰＵ１１は、割り当てキーが押下されたことを示すオンイベントを検出すると、図６に示す処理を開始する。そして、いずれかの割り当てキーが押下されているか否かを示すオンフラグの値が１であれば（Ｓ１１）、既に他の割り当てキーが押下された状態であるので、今回のオンイベントは無視してそのまま処理を終了する。
【００３５】
一方、オンフラグが１でなければ（０であれば）、オンフラグを１に設定する（Ｓ１２）と共に、操作された割り当てキーの情報を記憶し（Ｓ１３）、その割り当てキーと対応する割り当てリストに従い、そのリストに登録されているＭＩＸ出力ｃｈ４７をモニタグループとして設定する（Ｓ１４）。
なお、この設定は、図４のｃｈ割り当て部２２０で設定するモニタグループのパラメータを上書きする形で行われる。従って、表示パネル１０１に図４のモニタ設定画面２００を表示している場合は、その表示内容に直ちに反映される。一方で、ｃｈ割り当て部２２０で設定するパラメータとは別にモニタグループのパラメータを用意し、ｃｈ割り当て部２２０で設定したデータはそのまま残しておくようにしてもよい。
【００３６】
その後、各ｃｈストリップ１２０及びＳＴ出力ｃｈストリップ１３０のＳＥＬキー１２２，１３２のランプ１２２ａ，１３２ａの点灯／消灯を、選択されているレイヤ及び操作された割り当てキーと対応する割り当てリストの内容に従って変更し、操作された割り当てキーにどのｃｈが割り当てられているかを示す表示を、それらのｃｈに対応するｃｈストリップのＳＥＬキー１２２のランプ１２２ａを点灯させることにより行う（Ｓ１５）。ここで、モニタグループの内容に従って点灯／消灯を制御し、モニタグループに属するｃｈを示す表示を行ってもよく、上記と同じ表示内容となる。
【００３７】
そして、図４の詳細設定ボタン２１２が押下された場合と同様にモニタグループを構成するＭＩＸ出力ｃｈ４７の信号をモニタ対象として選択し（Ｓ１６）、その選択に従ってモニタ用セレクタ５１を制御して、処理を終了する。
以上の処理において、ＣＰＵ１１はモニタ設定手段として機能する。また、ステップＳ１４では、設定手段としても機能する。
【００３８】
次に、図７に、割り当てキーのオフイベントを検出した場合の処理のフローチャートを示す。
ＣＰＵ１１は、割り当てボタンが離されたことを示すオフイベントを検出すると、図７に示す処理を開始する。そして、オフイベントがあったのが、図６のステップＳ１３で記憶した割り当てキーでなければ（Ｓ２１）、今回検出したオフイベントは、図６の処理で無視したオンイベントと対応するオフイベントであると判断し、オフイベントも無視してそのまま処理を終了する。
【００３９】
一方、ステップＳ２１でＹＥＳであれば、オフイベントと対応する処理として、オンフラグを０に設定する（Ｓ２２）と共に、各ｃｈストリップ１２０及びＳＴ出力ｃｈストリップ１３０のＳＥＬキー１２２，１３２のランプ１２２ａ，１３２ａの点灯／消灯を、選択されているレイヤ及びＳＥＬパラメータの内容に従って変更し、割り当てキーが押下されていない状態の通常の表示に戻して（Ｓ２３）、処理を終了する。
ここで、ＳＥＬパラメータは、ＳＥＬキー１２２，１３２の操作により選択ｃｈとして現在選択されているｃｈを示すパラメータであり、現在選択されているレイヤに選択ｃｈが含まれていれば、その選択ｃｈに対応するｃｈストリップのＳＥＬキーのランプを点灯させ、その他のＳＥＬキーのランプは全て消灯させる。
【００４０】
次に、図８に、ＳＥＬキーのオンイベントを検出した場合の処理のフローチャートを示す。
ＣＰＵ１１は、ＳＥＬキー１２２，１３２が押下されたことを示すオンイベントを検出すると、図８に示す処理を開始する。そして、オンイベントのあったＳＥＬキーの属するｃｈストリップと、設定されているレイヤの情報とから、ＳＥＬキーが操作されたｃｈ、すなわち操作されたＳＥＬキーと対応するｃｈの情報を取得する（Ｓ３１）。
【００４１】
ここで、オンフラグが１でなければ（Ｓ３２）、ＳＥＬキーは割り当てキーと同時に操作されたわけではないため、通常のＳＥＬキーの機能に係る処理を行って（Ｓ３９）、処理を終了する。
一方、オンフラグが１であった場合、ステップＳ３３以下の、割り当てキーとの同時操作の場合の処理に進む。しかし、ＳＥＬキーが操作されたｃｈがＭＩＸ出力ｃｈでなかった場合には（Ｓ３３）、そのｃｈがモニタグループに含まれることはなく、すなわち割り当てリストに登録されることもないので、そのまま処理を終了する。
【００４２】
また、ステップＳ３３でＭＩＸ出力ｃｈであった場合には、ＳＥＬキーが操作されたｃｈが既に割り当てリストに登録されていれば（Ｓ３４）、そのｃｈを割り当てリストから削除して割り当てを解除すると共に、モニタグループの設定についても対応する更新を行う（Ｓ３５）。そして、これに対応してオンイベントのあったＳＥＬキーのランプを消灯して対応するｃｈの割り当てキーへの割り当てが解除されたことを示して（Ｓ３６）、処理を終了する。
【００４３】
一方、ステップＳ３４で割り当てリストに登録されていなければ、そのｃｈを割り当てリストに追加して割り当てを行うと共に、モニタグループの設定についても対応する更新を行う（Ｓ３７）。そして、これに対応してオンイベントのあったＳＥＬキーのランプを点灯して対応するｃｈの割り当てキーへの割り当てが行われたことを示して（Ｓ３８）、処理を終了する。
【００４４】
なお、ステップＳ３４，Ｓ３５，Ｓ３７で使用する割り当てリストは、図６のステップＳ１３で記憶した割り当てキー（操作中の割り当てキー）と対応する割り当てリストである。また、ステップＳ３５，Ｓ３７において、モニタグループの設定変更のみを行い、その後、割り当てキーのオフイベントの検出をトリガとして又はそれより前に、モニタグループの変更内容を割り当てリストに反映させるようにしてもよい。
以上の処理において、ＣＰＵ１１が割当制御手段として機能する。
【００４５】
デジタルミキサ１０においては、ＣＰＵ１１がこれらの処理を行うことにより、上述した割り当てキーの機能を実現することができる。
そして、このことにより、割り当てキーを１度押下するだけでそのキーに対応して記憶させておいたセットのＭＩＸ出力ｃｈ４７の信号をモニタ信号として出力する旨の設定を行うことができると共に、その後ＳＥＬキー１２２を押下することにより、モニタ対象とするＭＩＸ出力ｃｈ４７を任意に選択したり、その内容を記憶して次回の割り当てキー押下時に使用できるようにしたりすることができる。従って、ユーザが指定した１又は複数の出力ｃｈの信号のモニタを行う際に、極めて高い操作性を得ることができる。さらに、使用する操作子はユーザが操作パネル１００上で直接操作できるものであるから、深い階層のメニューを呼び出す等の操作を行う必要がなく、この点でも高い操作性を得ることができる。
【００４６】
さらに、モニタするＭＩＸ出力ｃｈ４７の選択を、ｃｈストリップ１２０に設けた操作子で行うようにしているため、操作子とｃｈとの対応関係がわかり易い。また、通常時は他の機能を有する操作子の機能を割り当てキーの押下時に臨時的に切り替えるようにしているため、ｃｈ選択のための専用の操作子を設ける必要がなく、パネル面積の低減やコストダウンにも資する。この意味では、ＳＥＬキー１２２以外でも、ＯＮキー１２３やＣＵＥキー１２５等、ｃｈストリップ内の他の操作子を用いても、同様な効果を得ることができるが、ランプ付きの操作子であれば、割り当て有無の表示も行うことができるので、より好ましい。
また、割り当てボタンを複数設け、それぞれにＭＩＸ出力ｃｈ４７を割り当てることができるようにすれば、各割り当てボタンの操作により、モニタするｃｈを、複数セットのＭＩＸ出力ｃｈ４７の間で瞬時に切り替えることができる。
【００４７】
以上でこの実施形態の説明を終了するが、装置の構成、具体的な処理内容、画面の表示内容等が、上述の実施形態で説明したものに限られないことはもちろんである。
例えば、上述した実施形態では、割り当てキーが複数同時に操作された場合に、先に操作されたキーを優先する「先着優先」方式の制御を行う例について説明したが、これに限られることはない。
逆の方式として、後から操作されたキーを優先させる「後着優先」方式を採用し、割り当てキーが押下される毎に、押下されたキーと対応する割り当てリストに従ったモニタグループの設定を行い、ＳＥＬキーの押下に応じた割り当てリストの更新を、最後に押下された割り当てキーと対応するリストについてのみ行うようにしてもよい。
【００４８】
また、ＳＥＬキーの押下に応じた割り当てリストの更新を、押下されている状態の割り当てキーそれぞれと対応するリストについて行うようにすることも考えられる。
さらに、複数の割り当てキーが押下されている状態から、現在モニタグループの設定に使用している割り当てキーが離された場合、押下されている残りの割り当てキーの中から何らかの基準で１つのキーを選択し、その割り当てキーと対応する割り当てリストに従ってモニタグループの設定を行うことも考えられる。
【００４９】
また別の点として、上述した実施形態では、割り当てキーと同時にＳＥＬボタンを押下して割り当てキーに割り当てることができるのは、ＭＩＸ出力ｃｈ４７のみとしたが、２トラックインやＳＴ出力ｃｈ４６もモニタグループに追加できるようにしてもよい。このようにする場合、ＳＴ出力ｃｈ４６についてはＳＴ出力ｃｈストリップ１３０のＳＥＬキー１３２を利用できるが、２トラックインについては、これをｃｈストリップ１２０と対応させるレイヤを設ける等の対応が考えられる。さらに、ｃｈ割り当て部２２０においても、２トラックインやＳＴ出力ｃｈ４６に関する設定を行うためのボタンを設けるとよい。
【００５０】
また、セクション選択ボタン２１１及び詳細設定ボタン２１２によるモニタ対象の選択を、排他的なものとせず、各範囲について独立に選択と非選択をトグルで切り替えられるようにしてもよい。この場合、割り当てキーによるモニタ対象の選択についても、モニタグループの選択／非選択をトグルで切り替えるものにするとよい。
また、モニタ可能な信号を、上述のものに限ることはなく、ＤＳＰ１８で処理中の任意の信号をモニタの対象とし得るようにしてよい。例えば、入力ｃｈの信号をモニタできるようにし、入力ｃｈもモニタグループに加えたり、割り当てリストに登録したりすることができるようにしてもよい。
また、上述した割り当てキーやＳＥＬキーのような用途に使用する操作子は、押下式の操作ではなく、回転、スライド、スクリーンへのタッチ等、他の方式で操作を受け付ける操作子でもよい。さらに、これらをモニタ設定用の専用の操作子として設けることも可能である。
【００５１】
また、この発明が、単体のデジタルミキサ以外にも、ハードディスクレコーダ、電子楽器、カラオケ装置、音源装置、ＭＩＤＩシーケンサ等の音響信号処理装置にミキサの機能を持たせたような装置にも適用可能なことは、もちろんである。また、ＰＣに適当なソフトウェアを実行させてミキサとして機能させる場合にも当然適用可能である。
さらに、上述したユーザ定義キー１０２やｃｈストリップ１２０を設ける操作パネル１００を、デジタルミキサ１０本体と同じ筐体にではなく、外部のフィジカルコントローラとして設ける場合にも適用可能である。この場合でも、デジタルミキサのＣＰＵが操作子の操作に応じて行う処理は、上述の場合と同様でよい。
【産業上の利用可能性】
【００５２】
以上の説明から明らかなように、この発明のデジタルミキサによれば、ユーザが指定した１又は複数の出力ｃｈの信号のモニタを行う際の操作性を向上させることことができる。
従って、操作性の高いデジタルミキサを提供することができる。
【図面の簡単な説明】
【００５３】
【図１】この発明の実施形態であるデジタルミキサの構成を示すブロック図である。
【図２】図１に示したＤＳＰの構成をより詳細に示す図である。
【図３】図１に示したデジタルミキサにおける操作パネルの概略構成を示す図である。
【図４】モニタ設定画面の例を示す図である。
【図５】割り当てリストの例を示す図である。
【００５４】
【図６】図１に示したデジタルミキサのＣＰＵが割り当てキーのオンイベントを検出した場合に実行する処理のフローチャートである。
【図７】同じく割り当てキーのオフイベントを検出した場合の処理のフローチャートである。
【図８】同じくＳＥＬキーのオンイベントを検出した場合の処理のフローチャートである。
【符号の説明】
【００５５】
１０…デジタルミキサ、１４…表示器、１５…操作子、１７…波形Ｉ／Ｏ、１８…ＤＳＰ、１９…システムバス、３５…モニタ出力ポート、４２…入力ｃｈ、４３…ＳＴバス、４４…ＭＩＸバス、４５…ＣＵＥバス、４６…ＳＴ出力ｃｈ、４７…ＭＩＸ出力ｃｈ、４８…出力パッチ、５１…モニタ用セレクタ、５２…モニタ用ミキサ、５３…ＣＵＥ制御部、１００…操作パネル、１０１…表示パネル、１０２…ユーザ定義キー、１２０…ｃｈストリップ、１２２，１３２…ＳＥＬキー、１２２ａ，１３２ａ…ランプ、１３０…ＳＴ出力ｃｈストリップ、２００…モニタ設定画面、２１０…セクション選択部、２１１…セクション選択ボタン、２１２…詳細設定ボタン、２２０…ｃｈ割り当て部、２２１…ＭＩＸ出力ｃｈ指定ボタン
【図１】
0004458006.tif 000002
【図２】
0004458006.tif 000003
【図３】
0004458006.tif 000004
【図４】
0004458006.tif 000005
【図５】
0004458006.tif 000006
【図６】
0004458006.tif 000007
【図７】
0004458006.tif 000008
【図８】
0004458006.tif 000009